(57)【要約】【課題】本発明は横線の端部及び中央部に係合交差させるのみで外側縦線及び上側横線が分離し難い金網フェンスを得ることを目的とするものである。【解決手段】複数の縦線１を均等間隔Ｔに互に平行に配列し、上記縦線１を波形横線２の波形屈曲部２ａ，２ｂ，２ｃ内に挿通交差させて接続してなり、上記波形横線２の端部においては、３条の上記縦線１の相互間隔ｔが上記均等間隔Ｔより小で、上記波形横線２の３個の隣接波形屈曲部２ａ，２ｂ，２ｃを挿通交差させ、  上中下段に隣接する少なくとも３条の波形横線２，２，２の上下に対応する波形屈曲部２ａ，２ｂ，２ｃの屈曲方向が上下互に反対向であり、かつ上記波形横線の両端部の中間部では、隣接縦線が縦方向に互い違いに直線部と波形屈曲部とを有し、それぞれ上記横線の波形屈曲部と交差させた金網フェンスの構造。【選択図】図１
2007267721.tif 000002
【特許請求の範囲】
【請求項１】
複数の縦線を均等間隔に互に平行に配列し、
上記縦線を波形横線の波形屈曲部内に挿通交差させて接続してなり、
上記波形横線の端部においては、３条の上記縦線の相互間隔が上記均等間隔より小で、上記波形横線の３個の隣接波形屈曲部を挿通交差させ、
上中下段に隣接する少なくとも３条の波形横線の上下に対応する波形屈曲部の屈曲方向が上下互に反対向である金網フェンスの構造。
【請求項２】
上記３条の縦線における外側及び内側縦線と、上記３条の横線における上段及び下段横線とを互に反対向きの波形屈曲部で交差させ、かつ中央の縦線の直線部と上段及び下段横線の波形屈曲部とを交差し、外側及び内側縦線の直線部と中段横線の波形屈曲部とを交差させた請求項１記載の金網フェンスの構造。
【請求項３】
上記波形横線の両端部の中間部では、隣接縦線が縦方向に互い違いに直線部と波形屈曲部とを有し、それぞれ上記横線の波形屈曲部と交差させた請求項１記載の金網フェンスの構造。
【発明の詳細な説明】
【技術分野】
【０００１】
本発明は縦横の鋼線を交差させてなる金網フェンスの構造であって、縦横線の端部における縦横線の補強に関するものである。
【背景技術】
【０００２】
従来、複数の縦線と横線とを縦横各線毎に交互に前後に交差させて小動物進入防止用フェンス金網が開発された(例えば特許文献１、２)。
【０００３】
しかし横線の端部では横線を折曲げて縦線の外れを防止したため１個のフェンス製造に手間を要した(上記文献１)。
【０００４】
又２条の波形横線の端部及び２条の波形縦線の上端部において、波形縦横線の波形屈曲部を互に反対向きに交差させた金網フェンスが意匠公報に掲載されている(上記文献２)
【０００５】
縦横２条の波形屈曲部の上記交差部では上側及び外側の波形横線及び縦線が外側に外れ易いという問題があった。
【特許文献１】特開２００２−８１２３１号
【特許文献２】登録意匠第１２５３９３３号公報
【発明の開示】
【発明が解決しようとする課題】
【０００６】
本発明は横線の端部及び中央部に係合交差させるのみで外側縦線及び上側横線が分離し難い金網フェンスを得ることを目的とするものである。
【課題を解決するための手段】
【０００７】
上記の目的を達成するため本発明は
第１に、
複数の縦線を均等間隔に互に平行に配列し、上記縦線を波形横線の波形屈曲部内に挿通交差させて接続してなり、
上記波形横線の端部においては、３条の上記縦線の相互間隔が上記均等間隔より小で、  上記波形横線の３個の隣接波形屈曲部を挿通交差させ、
上中下段に隣接する少なくとも３条の波形横線の上下に対応する波形屈曲部の屈曲方向が上下互に反対向である金網フェンスの構造、
第２に、
上記３条の縦線における外側及び内側縦線と、上記３条の横線における上段及び下段横線とを互に反対向きの波形屈曲部で交差させ、かつ中央の縦線の直線部と上段及び下段横線の波形屈曲部とを交差し、外側及び内側縦線の直線部と中段横線の波形屈曲部とを交差させた上記第１発明記載の金網フェンスの構造、
第３に、
上記波形横線の両端部の中間部では、隣接縦線が縦方向に互い違いに直線部と波形屈曲部とを有し、それぞれ上記横線の波形屈曲部と交差させた上記第１発明記載の金網フェンスの構造、
によって構成される。
【０００８】
従って相互間隔の小さい３条の縦線中の外側縦線は内向きに上記中間部の上側横線は下向きに弛みなく支持される。
【０００９】
そのため外側縦線及び上側横線の外側への分離が少なく、かつ外側及び内側縦線は上段では中央縦線の直線部により押圧され、中段では外側及び内側の縦線の直線部分によって横線が強力に反対向きに押圧されるため外側縦線の外側への分離が抑制される。又上段横線も縦線の上下段の直線部に押圧されて上側への分離が抑制される。
【発明の効果】
【００１０】
本発明は上述のように構成したので、少なくとも３条の上段と中段と下段のそれぞれ波形横線部分において、外側と中央及び内側及び両端部間の縦線が上中下段の横線毎に互に直線部分によって反対向きの押圧力が作用して外側の上記縦線の外側及び上段横線の上側への分離を比較的強く阻止し得るばかりでなく、
少なくとも上中下段の波形横線と３条の縦線及び両端部間の結合組立作業を簡便迅速に行い得る効果がある。
【発明を実施するための最良の形態】
【００１１】
複数の縦線１を均等間隔Ｔに互に平行に配列し、
上中下３段又は上下２段を１組とする波形横線２を上記縦線１と交互に前後に交差させて鋼線による金網フェンス３を形成する(図３、図４)。
【００１２】
最上段及び最下段の波形横線２の上方及び下方に上記縦線１を突出１’，１’させ、下方突出部１”を埋設して小動物の潜入を防止し、上方突出部１’によって小動物の越入を阻止することができる。
【００１３】
又図４に示すように縦線１の下部を屈曲させることにより小動物の潜入を防止することができる。
【００１４】
波型横線２は図１及び図２（ハ)図に示すように全長に亘り波形であるが、直線部分を介在させても差支えない。しかし上記縦線１との交差部は少なくとも波形に屈曲させる。
【００１５】
上記横線１の１端部又は両端部においては、外側、中央及び内側の３条の上記縦線１，１，１の相互間隔ｔを上均等間隔Ｔよりも小に配列し、上中下段の３段又は３条の上記横線２，２，２の一端部又は両端部におけるそれぞれ対応位置の３個の隣接波形屈曲部２ａ，２ｂ，２ｃが上段と中段及び中段と下段では前後に反対向であり、
外側及び内側の上記縦線１，１に上段と下段に前向波形屈曲部１ａ，１ｂを形成し、該屈曲部１ａ，１ｂ間の中段を直線に形成し、上下段の上記前向波形屈曲部１ａ，１ｂ及び１ａ，１ｂを、上段及び下段の上記横線２，２の外端に形成した後向波形屈曲部２ａ，２ｃと接触交差させ、外側及び内側の縦線１，１の直線部を中段の横線２の前向波形屈曲部２ｂ，２ｃと接触交差させる。
【００１６】
又外側と内側の中間の中央縦線１の上下段を直線となし、その中段に形成した前向波形屈曲部１ｃを中段の横線２の後向波形屈曲部２ｂと接触交差させて、外側、中央及び内側の３条の上記縦線１，１，１と３段(３条)１組の上記横線２，２，２とを縦横交差させて金網フェンス３の左右方向一端部又は両端部を形成する。
【００１７】
本発明では上記上中下段横線２，２，２の１端部又は両端部において外側及び内側の縦線１，１が中央の縦線１を中心として上下段では前向(矢印ａ)に中段では前向(矢印ｂ)に鋼製縦横線１，２の弾性によって押圧されるから外側の縦線１が上中下段の横線２，２，２の最外側の後向及び前向波形屈曲部２ａ，２ａ，２ａから外側に分離する恐れがなく延いては金網フェンス３の横方向一端又は両端から外れ難いものである。
【００１８】
上記波形横線２，２’，２の両端部の中間部３’（図１、図３）においては、隣接縦線１，１の上下部の直線部Ｌ，Ｌ’と上下段の横線Ａ，Ａ’（図１）の波形屈曲部２ｂ，２ｂとが交差し、隣接縦線１の上記上下部の中間の直線部Ｌ’を中段の横線２’の波形屈曲部２ｄと交差させることによって、上中下段の波形横線２，２’，２は隣接縦線１，１との結合力が増し、上段横線Ａは外側に外れ難い。
【００１９】
隣接する縦線１，１は縦方向に互い違いに直線部Ｌ，Ｌ’とＬ”及び波形屈曲部１ｃ’と１ｂ’，１ｂ’を有する。即ち縦線１，１の一方は上下部に直線部Ｌ，Ｌ’を有し中間に波形屈曲部１ｃ’を有し、他方は上下部に波形屈曲部１ｂ’，１ｂ’を有し中間に直線部Ｌ”を有する。そして上段の波形横線２は上記一方の上記直線部Ｌ及び他方の波形屈曲部１ｂ’と交差し、中段の波形横線２’は一方の波形屈曲部１ｃ’及び他方の直線部Ｌ”と交差し、下段の波形横線２は一方の直線部Ｌ’及び他方の波形屈曲部１ｂ’と交差させる（図１）。
【産業上の利用可能性】
【００２０】
図３、図４仮想線で示す縦線１のように上記フェンス３は縦線１と横線２との交差を斜交させることによって菱形に変形自在となし、傾斜面に縦線１を垂直に支持し得るものである。
【図面の簡単な説明】
【００２１】
【図１】本発明の金網フェンスの左右方向端部の上部を示す斜視図である。
【図２】（イ）図は図１の正面図、（ロ）図は（イ）図Ａ−Ａ線による側面図、（ハ）図は波形横線の平面図、（ニ）図は波形横線の他側の平面図である。
【図３】本発明の金網フェンスの全体の正面図である。
【図４】下部を前方に屈曲した金網フェンスの全体の正面図である。
【符号の説明】
【００２２】
１                縦線
Ｔ                均等間隔
２                波形横線
２ａ，２ｂ，２ｃ  外側、中央及び内側波形屈曲
ｔ                相互間隔
【図１】
2007267721.tif 000003
【図２】
2007267721.tif 000004
【図３】
2007267721.tif 000005
【図４】
2007267721.tif 000006